(57)【特許請求の範囲】
【請求項１】
・１次光（Ｐ）を放射する少なくとも１つの第１の光源（２）と、
・第１の焦点（Ｆ）および第２の焦点（Ｆ’）を有する反射装置（３；３３）と、
・少なくとも２つの機能領域（７，８，９，１０；３７，３８，３９，４０；６９）を有する、少なくとも１つの回転可能な照明ホイール（５；３５；５５；６５）と、
・前記少なくとも１つの第１の光源（２）によって照射される１次光装置（７，８；３７，３８；６９）であって、当該１次光装置（７，８；３７，３８；６９）には、前記機能領域のうち１つの機能領域（７，８，３７，３８；６９）が１次光機能領域として機能的に割り当てられる、１次光装置（７，８，３７，３８；６９）と、
・前記機能領域のうち別の１つの機能領域（９，１０；３９，４０）が有効光機能領域として機能的に割り当てられる有効光装置（９，１０；３９，４０；１４ａ，１４ｂ；５７）と
を有する照明装置（１；２１；３１；５１；６１；７１）であって、
・前記第１の焦点（Ｆ）は前記１次光装置（７，８；３７，３８；６９）の領域に存在し、前記第２の焦点（Ｆ’）は前記有効光装置（９，１０；３９，４０；１４ａ，１４ｂ；５７）の領域に存在し、
・前記照明ホイール（５，３５；５５；６５）が少なくとも第１の回転位置にあるとき、
前記１次光装置（７，８；３７，３８；６９）に割り当てられる１次光機能領域（７；３７）は、前記光源（２）から放射される１次光（Ｐ）に対して感応性を有する少なくとも１つの蛍光体を有し、
・前記有効光装置（９，１０；３９，４０；１４ａ，１４ｂ；５７）に割り当てられる有効光機能領域（９；３９）は少なくとも、前記１次光機能領域（７；３７）によって波長変換された光に対して透過性である、
照明装置（１；２１；３１；５１；６１；７１）において、
前記第１の焦点（Ｆ）は、前記１次光装置（７，８，３７，３８；６９）に割り当てられる１次光機能領域（７，８；３７，３８；６９）に、または当該１次光機能領域（７，８；３７，３８；６９）の近傍に存在し、
前記第２の焦点（Ｆ’）は、前記有効光装置（９，１０；３９，４０；１４ａ，１４ｂ；５７）に割り当てられた有効光機能領域（９，１０；３９，４０）に、または、当該有効光機能領域（９，１０；３９，４０）の近傍に存在し、
前記照明ホイール（５；３５；５５；６５）が少なくとも第２の回転位置にあるとき、
前記１次光装置（７，８；３７，３８；６９）に割り当てられる１次光機能領域（８；３８）は、前記光源（２）から放射される１次光（Ｐ）に対して反射性を有し、
前記有効光装置（９，１０；３９，４０；１４ａ，１４ｂ；５７）に割り当てられる有効光機能領域（１０；４０）は、前記１次光（Ｐ）に対して透過性である、
ことを特徴とする、照明装置（１；２１；３１；５１；６１；７１）。
【請求項２】
少なくとも前記第１の回転位置において、前記有効光装置（９，１０；３９，４０；１４ａ，１４ｂ；５７）に割り当てられる有効光機能領域（１０；４０）は、前記１次光（Ｐ）に対して非透過性である、
請求項１記載の照明装置（１；２１；３１；５１；６１；７１）。
【請求項３】
前記照明ホイール（５；３５；５５；６５）は、
・複数の前記１次光機能領域（７，８；３７，３８；６９）と、複数の前記有効光機能領域（９，１０；３９，４０）とを有し、
・前記各１次光機能領域（７，８；３７，３８；６９）は、第１のリングの弧形部分として配置されており、
・前記各有効光機能領域（９，１０；３９，４０）は、第２のリングの弧形部分として配置されている、
請求項１または２記載の照明装置（１；２１；３１；５１；６１；７１）。
【請求項４】
前記機能領域（７，８，９，１０）は前記反射装置（３）によってアーチ状に覆われている、
請求項１から３までのいずれか１項記載の照明装置（１；２１）。
【請求項５】
前記機能領域のうち一部のみ（３７，３８，３９，４０；６９）が、前記反射装置（３３）によってアーチ状に覆われている、
請求項１から３までのいずれか１項記載の照明装置（３１；５１；６１；７１）。
【請求項６】
前記照明装置（６１）は、前記１次光装置（６９）に向けて第２の１次光（Ｐ２）を放射する少なくとも１つの第２の光源（６２）を有し、
前記第２の１次光（Ｐ２）の色は、前記少なくとも１つの光源（２）の１次光（Ｐ）の色と異なる、
請求項１から５までのいずれか１項記載の照明装置（６１）。
【請求項７】
・前記少なくとも１つの第１の光源（２）は、前記反射装置（３３）の方を向いた側から前記１次光装置（３７，３８，６９）に照射し、
・前記少なくとも１つの第２の光源（６２）は、前記反射装置（３３）とは反対側から前記１次光装置（３７，３８，６９）に照射し、
・前記照明ホイール（６５）の少なくとも１つの回転位置において、前記１次光装置（３７，３８，６９）に割り当てられる１次光機能領域は、前記少なくとも１つの第２の光源（６２）の光に対して透過性であり、前記有効光装置（３９，４０）に割り当てられる有効光機能領域（３９，４０）は、前記第２の１次光（Ｐ２）に対して透過性である、
請求項６記載の照明装置（６１）。
【請求項８】
前記有効光装置（９，１０；３９，４０；１４ａ，１４ｂ；５７）に対し、割り当てられる有効光機能領域（９，１０；３９，４０）に前置および／または後置される光学系（１４ａ，１４ｂ；５７）が設置されている、
請求項１から７までのいずれか１項記載の照明装置（２１；５１）。
【請求項９】
前記有効光機能領域（３９，４０）に前置される光学系（５７）は、前記第２の焦点（Ｆ’）に、または前記第２の焦点（Ｆ’）の近傍に存在し、
前記照明ホイール（５５）の支持体（５６）は少なくとも、前記有効光機能領域（３９，４０）において下げられている、
請求項８記載の照明装置（５１）。
【請求項１０】
・少なくとも１つの回転位置において、前記１次光装置（３７，３８）に割り当てられる１次光機能領域（３８）は、前記少なくとも１つの第１の光源（２）から放射される１次光（Ｐ）に対して透過性であり、
・前記１次光装置（３７，３８）と前記有効光装置（３９，４０）とに、共用の光結合器（７３）が後置されている、
請求項１から９までのいずれか１項記載の照明装置（７１）。
【発明の詳細な説明】
【技術分野】
【０００１】
本発明は、１次光を放射するための少なくとも１つの第１の光源と、第１の焦点および第２の焦点を有する反射装置と、回転軸を中心として回転可能である、少なくとも２つの機能領域を有する少なくとも１つの照明ホイールとを有する照明装置に関し、前記少なくとも１つの光源によって、前記照明ホイールのうち少なくとも１つに光が照射され、前記照明ホイールが所定の回転位置にあるとき、前記少なくとも１つの光源によって光が照射される機能領域は、前記光源から放射された前記１次光を受け取って波長変換を行う少なくとも１つの蛍光体を有する。
【０００２】
基本的構成が公知となっているＬＡＲＰ（"Laser Activated Remote Phosphor"）技術をベースとするプロジェクション用途では、蛍光体にレーザが光を照射し、この入射した光の一部は当該蛍光体によって、波長変換有効光（波長コンバート有効光または周波数変換有効光）に変換し、当該光の一部は波長変換されることなく散乱して戻される。レーザによって生成された１次ポンプ光は、有効光として直接そのまま使用することができないか、または、この１次ポンプ光を連続して有効光としてそのまま使用できるとは限らない。蛍光体への照射中に波長変換された有効光のみを生成するためには、この時点で、波長変換されないポンプ光成分をフィルタリングにより除去しなければならない。たとえばプロジェクション応用分野から公知となっている、光フィルタを有する回転フィルタホイールが、これを実現する手段となる。
【０００３】
ポンプ光の強度が高い場合（約５Ｗ／ｍｍ２以上）に効率的な波長変換を実現するためには、回転蛍光体ホイールが特に有利であり、蛍光体を支持するためにこのような回転蛍光体ホイールを用いる場合には、総じて２つの回転ホイールを、すなわちフィルタホイールと蛍光体ホイールとを、相互に同期させなければならない。これは、技術的に大きな手間となる。
【０００４】
本発明の課題は、従来技術の欠点を少なくとも部分的に解消し、とりわけ、少なくとも部分的に順次生成される混合光を技術的に小さい手間で生成する、少なくとも１つの波長変換蛍光体を使用する照明装置を提供することである。
【０００５】
前記課題は、独立請求項に記載の特徴によって解決される。有利な実施形態は、とりわけ従属請求項から導き出すことができる。
【０００６】
前記課題は、光（「１次光」）を放射するための少なくとも１つの第１の光源と、第１の焦点および第２の焦点を有する反射装置と、少なくとも２つの機能領域を有する回転可能な少なくとも１つの照明ホイールと、前記少なくとも１つの光源によって光が照射される１次光装置とを有する照明装置であって、前記１次光装置には、前記機能領域のうち１つ（「１次光機能領域」）が機能的に割り当てられ、前記第１の焦点は前記１次光装置の領域内に存在し、前記照明装置はさらに、前記機能領域のうち別の機能領域（「有効光機能領域」）が機能的に割り当てられる有効光装置も有し、前記第２の焦点は、前記有効光装置の領域内に存在し、少なくとも、前記照明ホイールが第１の回転位置にあるとき、前記１次光装置に割り当てられる１次光機能領域が、前記光源から放射された１次光を波長変換する少なくとも１つの蛍光体を有し、前記有効光装置に割り当てられる有効光機能領域は、少なくとも、前記１次光機能領域によって波長変換された光に対して透過性である、照明装置によって解決される。
【０００７】
このような照明装置は、前記照明ホイールの機能領域に光を入射させるために前記２つの焦点を使用することにより、特にコンパクトかつ多岐に及ぶ構成が可能となり、さらに、このような構成を少数の部品で実現できるという利点を奏する。フィルタホイールの機能と蛍光体ホイールの機能という双方の機能を果たす、上述の回転可能な照明ホイールを使用することにより、複数の異なるホイールを同期させることが無くなる。このような照明ホイールは、機能領域支持体と称することもできる。
【０００８】
照明ホイールを使用することの利点は、前記光源のうち少なくとも１つによって波長変換を行って別の色を、すなわち波長変換された色の光を生成する方が、光源からの光のみを用いる場合よりも（すなわち、波長変換を何ら用いない場合よりも）簡単かつ低コストになることである。他方、１つの光源と、それを場合によっては複数の色に変換する波長変換とのみを用いる場合と比較して、波長変換部を後置して用いないで少なくとも１つの光源を用いる方が、照明装置から放射される混合光の混合色座標をより簡単かつより正確に調整するのに有利である。さらに、波長変換時のストークス損失によって光放出領域支持体にかかる熱負荷を低減させることができ、この熱負荷の低減により、熱に起因して生じる、波長変換後の光の波長のシフトも、また、「熱クエンチング」の規模も低減し、熱に起因する蛍光体の劣化が防止される。このことにより、短期間および長期間にわたって安定的な光放出特性を実現することができる。
【０００９】
前記少なくとも１つの第１の光源はとりわけ、前記第１の焦点に向けられている。これにより、光学系を前置して用いなくても、ないしは、前記１次光装置が、割り当てられる１次光機能領域に前置される光学系を有さなくても、前記第１の焦点において、または前記第１の焦点近傍において、目下の１次光機能領域において焦点を形成することができる。
【００１０】
前記少なくとも１つの第１の光源は有利には狭帯域であり、とりわけ、帯域幅が小さい単色または準単色の光源であり、とりわけレーザ状の光源である。
【００１１】
有利には、少なくとも１つの光源が１つのレーザを有するか、または、波長または色が等しいかまたは異なる複数のレーザ光源を有する。このような構成の照明装置は、レーザ励起遠隔蛍光体デバイスまたはＬＡＲＰ（"Laser Activated Remote Phosphor"）デバイスと称されることがある。このようなレーザ光源はとりわけ、少なくとも１つの半導体レーザを含むことができ、とりわけダイオードレーザまたはレーザダイオードを含むことができる。このようなレーザ光源は、特にコンパクトかつロバストに構成することができる。また、複数のレーザダイオードを簡単にグループにまとめて、たとえばスタック（"laser stack"）として動作させることもできる。
【００１２】
上記実施形態に代えて択一的に、前記少なくとも１つの光源はたとえば、１つまたは複数の発光ダイオードを含むことができる。前記少なくとも１つの発光ダイオードは、少なくとも１つの個別パッケージングされた発光ダイオードの形態、または、少なくとも１つのＬＥＤチップの形態とすることができる。複数のＬＥＤチップを１つの基板（「サブマウント」）上に取り付けることができる。前記少なくとも１つの発光ダイオードには、ビームガイド用の少なくとも１つの専用の光学系および／または共用の光学系を備えつけることができる。このような光学系はたとえば、少なくとも１つのフレネルレンズやコリメータ等である。一般的には、たとえばＩｎＧａＮやＡｌＩｎＧａＰをベースとする無機発光ダイオード等である無機発光ダイオードの代わりに択一的に、またはこれと組み合わせて、有機ＬＥＤ（ＯＬＥＤ、たとえばポリマーＯＬＥＤ）を使用することも可能である。
【００１３】
前記少なくとも１つの光源はさらに、少なくとも１つの広帯域の光源（たとえば、蛍光体変換部が後付けされた発光ダイオードチップ、スーパールミネセンスダイオード、白熱ランプまたは放電ランプ）を含むことができ、この広帯域の光源には、少なくとも１つの光フィルタを後置することができる。
【００１４】
光の色が異なると、この光はとりわけ、異なるピーク波長および／または異なる帯域幅の光を含む。
【００１５】
前記反射装置は、少なくとも１つの反射器を有することができる。前記反射装置はとりわけ、ちょうど１つの反射器を有することができる。前記反射装置はさらに、少なくとも１つの別の光学部品を有することもでき、この別の光学部品はたとえば、コリメートレンズ等である。
【００１６】
たとえば、前記反射装置は、前記第１の焦点に後置されたコリメートレンズを有することができる。このコリメートレンズは、前記第１の焦点から入射した光を、反射部材である平面鏡に向ける。この平面鏡はこの光を第２のレンズに向けて反射することができ、この第２のレンズはこの光をさらに、前記第２の焦点に集束させる。
【００１７】
一実施形態では、前記少なくとも１つの第１の光源の光は青色光および／または紫外光を含むか、または青色光および／または紫外光であり、とりわけ、４６０ｎｍ以下の波長領域内にあり、とりわけ約４４５ｎｍの波長領域内にある。これにより、実質的に可視光スペクトル全体に及ぶ光を簡単に生成することができ、しかも、より大きな波長に波長変換することにより（「ダウンコンバージョン」）、たとえば青色またはＵＶから緑色に波長変換することにより、上述のような光を簡単に生成することができる。
【００１８】
（光学的な）機能領域とは、当該機能領域に入射した光に影響するように構成された、照明ホイールの領域であれば、すべての領域を指すことができる。
【００１９】
たとえば、とりわけ１次光機能領域として使用される場合、少なくとも１つの機能領域は少なくとも１つの蛍光体を有することができる（「蛍光体領域」）。
【００２０】
このような蛍光体領域ないしはこの蛍光体領域の蛍光体は、光源から放射された光の少なくとも一部を波長変換することができる。これはとりわけ、前記光源から前記蛍光体領域に入射した光の一部を、当該蛍光体領域の少なくとも１つの蛍光体が吸収し、波長を変換させて、とりわけより大きな波長で（「ダウンコンバート」）またはより小さい波長で（「アップコンバート」）再放出することも含むことができる（たとえば青色から黄色への変換、または、赤色から緑色への変換）。前記入射した光の他の部分は、波長変換されることなく前記蛍光体領域から放出され得る。このことにより、対応する光源から入射した単色光を前記蛍光体領域から混合光として（波長変換された成分と、波長変換されなかった成分と組み合わせたものとして）放出することができる。このような機能領域は、とりわけ蛍光体層を有することができる。蛍光体領域の蛍光体層の厚さを、および／または、前記少なくとも１つの蛍光体の濃度を所期のように調整することにより、波長変換される割合を所期のように調整することができる。とりわけ、蛍光体濃度を十分な濃さにすることによって、および／または、厚さを十分な厚さにすることによって、入射した光を実質的に完全に波長変換することができる。このような調整はとりわけ、少なくとも約９５％の変換率に相当し、とりわけ少なくとも約９８％の変換率に相当し、とりわけ少なくとも約９９％の変換率に相当することができる。
【００２１】
前記波長変換はたとえばルミネセンス原理で、とりわけフォトルミネセンスまたは放射線ルミネセンス原理で、とりわけリン光および／または蛍光原理で行うことができる。また、たとえば周波数逓倍等の非線形作用や、たとえば光パラメトリック発振器等で光子エネルギーを分裂させることにより、前記波長変換を行うこともできる。
【００２２】
前記少なくとも１つの蛍光体によって波長変換された光を、とりわけ再び拡散放射することができる。このことによって高い強度均質性を実現することができ、光学部品が後置されている場合には、この光学部品に幅広く光を当てることができる。
【００２３】
蛍光体が複数設けられている場合には、入射した光ビームの少なくとも一部を、複数の異なる波長の光に変換するか、または複数の異なる波長領域の光に変換することができる。
【００２４】
とりわけ１次光機能領域として使用される場合には、少なくとも１つの機能領域は、反射機能を有する領域として（「反射領域」）、とりわけ拡散反射領域として、構成および設置することができる。このことにより、１次光を前記第２の焦点に効率的に集束させることができ、かつ、その後に前記照明装置から所期のように出力結合させることができるようになる。このように所期のような出力結合が可能になることにより、とりわけ光混合のために、ないしは、前記照明装置によって生成される混合光の一色成分として、前記１次光を有効光として直接そのまま使用できるようにもなる。このような反射領域はたとえば反射層を有することができ、この反射層はとりわけ拡散反射層である。
【００２５】
とりわけ有効光機能領域として使用される場合、少なくとも１つの機能領域を、光フィルタリング機能を有する領域として（「フィルタ領域」）構成および設置することができる。このようなフィルタ領域はたとえば、所定の波長または所定の１つまたは複数の波長帯を光フィルタリングする板またはフィルムを含むことができる。また、ダイクロイックミラーを使用することも可能である。上述のようなフィルタ領域により、純色光または色補正された光を有効光として出力結合させることが可能になる。
【００２６】
少なくとも１つの機能領域を、光を透過させる領域として（「窓領域」）構成および設置することができる。前記光を透過させる領域はとりわけ、透明または半透明である（とりわけ、散乱透過またはビーム拡開の作用を有する）。このような領域により、光を十分に無損失で透過させることができる。
【００２７】
前記１次光装置はとりわけ、入射した１次光に影響する装置とすることができる。その場合には、所定の時点において、ないしは、前記照明ホイールが所定の回転位置にあるとき、前記１次光装置に所定の１次光機能領域が機能的に割り当てられる。定置の第１の焦点に対して前記照明ホイールが相対的に回転することにより、異なる時点ないしは異なる回転位置ごとに異なる機能領域を前記１次光装置に割り当てることができる。換言すると、前記第１の焦点に、または前記第１の焦点の近傍に存在する１次光機能領域を、１次光領域に割り当てることができる。
【００２８】
前記１次光装置にはとりわけ、少なくとも１つの（とりわけ時間的に入れ替わる）１次光機能領域のみを割り当てることも可能である。換言すると、前記１次光装置は実際には、前記第１の焦点に、または前記第１の焦点の近傍に目下存在する１次光機能領域のみから成ることができる。このような構成は、特に簡単かつ低コストで製造することができる。特にこの場合には、前記少なくとも１つの光源によって光が照射される１次光装置を前記照明装置が有し、前記機能領域のうち１つが１次光機能領域として前記１次光装置に機能的に割り当てられ、前記第１の焦点が前記１次光装置の領域にあるという事項は、前記第１の焦点に、または前記第１の焦点の近傍に存在する１次光機能領域に前記少なくとも１つの光源によって光を照射できることを意味することができる。
【００２９】
１つの発展形態では、前記１次光機能領域に少なくとも１つの光学系を前置および／または後置することができる。その際に有利なのは、この１次光機能領域が前記第１の焦点に、または前記第１の焦点の領域にあることである。
【００３０】
前記有効光装置はとりわけ、前記反射装置から反射された光に影響する装置とすることができる。その場合には、所定の時点において、ないしは、前記照明ホイールが所定の回転位置にあるとき、前記有効光装置に所定の有効光機能領域が機能的に割り当てられる。定置の第２の焦点に対して前記照明ホイールが相対的に回転することにより、異なる時点ないしは異なる回転位置ごとに異なる機能領域を前記有効光装置に割り当てることができる。
【００３１】
前記有効光装置にはとりわけ、少なくとも１つの（とりわけ時間的に入れ替わる）有効光機能領域のみを割り当てることが可能である。換言すると、前記有効光装置は、前記第２の焦点に、または前記第２の焦点の近傍に存在する有効光機能領域のみから成ることができる。このような構成は、特に簡単かつ低コストで製造することができる。特にこの場合には、（前記少なくとも１つの反射装置によって光が照射される）有効光装置を前記照明装置が有し、前記機能領域のうち１つが有効光機能領域として前記有効光装置に機能的に割り当てられ、前記第２の焦点が前記有効光装置の領域にあるという事項は、前記第２の焦点に、または前記第２の焦点の近傍に存在する有効光機能領域に前記少なくとも１つの反射装置によって光を照射できることを意味することができる。
【００３２】
１つの発展形態では、前記有効光機能領域に少なくとも１つの光学系を前置および／または後置することができる。その際に有利なのは、この有効光機能領域が前記第１の焦点に、または前記第１の焦点の領域にあることである。
【００３３】
一般的には、前記第１の焦点が、前記１次光装置に割り当てられた１次光機能領域に存在するかまたは当該１次光機能領域の近傍に存在する実施形態、および／または、前記第２の焦点が、前記有効光装置に割り当てられた有効光機能領域に存在するかまたは当該有効光機能領域の近傍に存在する実施形態が有利である。
【００３４】
機能領域（とりわけ有効光機能領域）が前記第２の焦点に存在せず、当該機能領域に前置された光学系が当該第２の焦点に存在する場合には、前記照明ホイールの少なくとも当該機能領域が下がる構成が可能である。このような構成により、前置される前記光学系を、対応する（とりわけ第２の）焦点に簡単に位置決めすることができる。
【００３５】
前記照明装置は一般に、機能的に異なる複数の回転位置をとることができ、その際には、回転位置が異なるごとに、両焦点に異なる機能領域が来るか、または当該機能領域に前置された光学系が来ることができる。
【００３６】
また、前記照明ホイールの少なくとも１つの回転位置（たとえば「第１の」回転位置）において、前記１次光装置に割り当てられる１次光機能領域は、前記第１の光源によって放射された１次光に対して波長変換作用を有する少なくとも１つの蛍光体を有し、前記有効光装置に割り当てられる有効光機能領域は少なくとも、前記１次光機能領域によって波長変換された光に対して透過性を有する実施形態もある。このような実施形態により、前記照明装置から、少なくとも一部が波長変換された光と、場合によっては、波長変換されなかった光とを、有効光として放射することができる。というのも１次光は、とりわけ第１の焦点において、または第１の焦点の近傍において、蛍光体領域として構成された１次光機能領域に入射し、波長変換された光と、典型的には散乱しただけであり波長変換されなかった（場合によっては僅かな割合の）光の成分とを、少なくとも前記波長変換された光に対して透過性を有する有効光機能領域が存在する第２の焦点に、前記反射装置を介して集束させるからである。
【００３７】
さらに、前記第１の回転位置において、前記有効光装置に割り当てられる有効光機能領域は前記１次光に対して非透過性である実施形態もある。すなわち、前記有効光機能領域はとりわけ、波長変換された光のみを透過させる光フィルタとして（吸収フィルタ、ダイクロイックミラー、またはこれらの組み合わせ等）作用する領域である。
【００３８】
また、前記照明ホイールが、異なる蛍光体を有する複数の蛍光体領域の形態である複数の１次光機能領域を有する実施形態もある。これらの異なる蛍光体はとりわけ、前記照明ホイールに各扇形ごとに配置することができる。このことにより、前記照明ホイールの回転動作時には、前記少なくとも１つの光源によって順次異なる蛍光体領域に照射することができ、これにより、これらの異なる蛍光体領域から放射される光を組み合わせて成る連続的な光のシーケンスを、とりわけカラーシーケンスを、有効光として生成することができる。照明ホイールの回転速度を十分に高くすれば（たとえば毎秒２５回転以上）、人間の眼の慣性に起因して、これらの連続的な光のシーケンスは混合光として知覚されるようになる。これら複数の蛍光体領域により、調整可能な蛍光体領域を大きく実現することができる（「Gamut」）。たとえば、ＵＶ光に対して感知応答して可視光に変換する光放出領域を使用することができ、この光放出領域はたとえば、（たとえば３つの蛍光体領域によって）赤色／青色／青色の組み合わせに変換したり、（たとえば２つの蛍光体領域によって）ミントグリーン／赤色の組み合わせに変換したり、または、（たとえば４つの蛍光体領域によって）赤色／緑色／青色／黄色の組み合わせに変換したりすることができる。
【００３９】
さらに、前記照明ホイールが少なくとも１つの別の回転位置に（たとえば「第２の」回転位置に）あるとき、前記１次光装置に割り当てられる１次光機能領域は、前記光源によって放射された１次光に対して反射性を有するように、とりわけ散乱反射性を有するように構成されており、前記有効光装置に割り当てられる有効光機能領域は少なくとも、前記１次光に対して透過性を有する実施形態もある。このようにして、とりわけ光混合のために、前記１次光を直接そのまま（波長変換せずに）有効光として使用することもできる。
【００４０】
また、前記照明ホイールは複数の１次光機能領域と複数の有効光機能領域とを有し、前記複数の１次光機能領域はそれぞれ、第１のリングの各弧形部分として配置され、前記複数の有効光機能領域はそれぞれ、第２のリングの各弧形部分として配置されている実施形態もある。とりわけ、前記第１のリングと前記第２のリングとを、前記照明ホイールの回転軸に対して同心に配置することができる。前記第１のリングと前記第２のリングとは、有利には重ならない。前記第１のリングをとりわけ内側リングとし、かつ、前記第２のリングを外側リングとすることができる。その代わりに択一的に、前記第１のリングを外側リングとし、かつ、前記第２のリングを内側リングとすることもできる。前記照明ホイールが回転すると、両リングはとりわけ、それぞれの焦点で回転する。
【００４１】
さらに、（とりわけ全ての）機能領域が前記反射装置によってアーチ状に覆われる別の実施形態もある。このような実施形態はとりわけ、偏心率が高い、とりわけ楕円形である反射器において、または、２つの放物面ハーフシェルを組み合わせて成る反射器において実現することができる。このような反射器では、両焦点を相互に、比較的大きく離隔させることができる。この反射器は、一体で形成するか、または複数の部品から構成することができる。このような照明装置により、比較的広幅の焦点を実現することができる。その際にはまた、両焦点をそれぞれ、前記照明ホイールの回転軸で鏡面対称的な各領域に設けることも可能である。複数の異なる回転位置間を高速に動くために有利なのは、所定の回転位置に対応する（１つまたは複数の）１次光機能領域と（１つまたは複数の）有効光機能領域と（の対）が、前記回転軸を中心として１８０°回転した向きを有することである。その際にはとりわけ、これらの領域は異なる大きさを有するが、同じ形状を有する。
【００４２】
上記実施形態に代えて択一的な実施形態として、ある時点では前記機能領域の一部のみが前記反射装置によってアーチ状に覆われる構成がある。このことはとりわけ、両焦点の相互間の距離が比較的小さい、偏心率が小さい反射器において、実現することができる。このような照明装置により、特にコンパクトな構成を実現することができる。ここで、複数の異なる回転位置間を高速に動くために有利なのは、所定の回転位置に対応する（１つまたは複数の）１次光機能領域と（１つまたは複数の）有効光機能領域と（の対）が、前記回転軸を中心として同じ向きを有することである。その際にはとりわけ、これらの領域は異なる大きさを有するが、同じ形状を有する。
【００４３】
さらに、前記照明装置が、１次光（とりわけ第２の１次光）を前記１次光装置へ、とりわけこれに対応する１次光機能領域へ放射するための、少なくとも１つの第２の光源を有する実施形態もある。このような実施形態により、特にフレキシブルな構成を実現することができる。また、前記第２の１次光の色が、前記少なくとも１つの第１の光源の１次光の色と異なる、特別な実施形態もある。このような実施形態により、第１の１次光や、第１の１次光によって生成される波長変換では、生成するのが困難であるかまたは全く生成できない色成分を出力結合することができる。
【００４４】
また、前記少なくとも１つの第１の光源が、前記反射装置の方を向いた側から（「上側から」）前記１次光装置に光を照射し、前記少なくとも１つの第２の光源が、前記反射装置とは反対側から（「下側から」）前記１次光装置に光を照射する実施形態もある。このような実施形態により、とりわけ、割り当てられた１次光機能領域において輝点を、前記反射装置の方を向いた側において、前記第１の焦点に、または前記第１の焦点の近傍に生じさせることができる。とりわけ、（対応する「別の」回転位置では）前記少なくとも１つの第２の光源によって光が照射される（前記１次光装置に割り当てられる）、前記１次光装置の１次光機能領域は、前記第２の１次光に対して透過性であり、とりわけ透明または半透明であり、前記有効光装置に割り当てられる有効光機能領域は、前記少なくとも１つの第２の光源の光に対して透過性であり、とりわけ透明または透明である構成が可能である。このような構成により、前記別の回転位置では、前記第２の１次光を有効光として、特に簡単かつ正確に前記照明装置から出力結合させることができ、とりわけ追加的な色成分として混合光に混合することができる。上述の実施形態に代えて択一的に、対応する１次光機能領域は、前記第２の１次光を感知する蛍光体を含む薄膜を有することも可能である。
【００４５】
特に有利な実施形態では、前記第１の光源の光は青色光（たとえば、ピーク波長が約４４５ｎｍである光）および／または紫外光を含むか、またはこの青色光および／または紫外光である。前記第２の光源の光は、とりわけ赤色光を含むか、または赤色光とすることができる。とりわけ組み合わせにより、ストークス損失による熱生成を比較的小さくしながら、大きな色空間を実現することができる。また、ＵＶまたは青色から赤色に波長変換する場合に生じる高いストークス損失を回避することもできる。
【００４６】
その代わりに択一的に、前記少なくとも１つの第２の光源は上から前記１次光装置に光を照射することもできる。その際、コンパクトな構成を実現するために有利なのは、前記少なくとも１つの第１の光源の光路と前記少なくとも１つの第２の光源の光路とを、前記反射装置より上流においてまとめることである。その際には、前記１次光装置に割り当てられる１次光機能領域を、反射性の１次光機能領域とすることができ、たとえば、すでに前記第１の１次光を反射する１次光機能領域とすることもできる。これに対応する、前記有効光装置に割り当てられる有効光機能領域は少なくとも、前記少なくとも１つの第２の光源によって生成される１次光に対して透過性であり、たとえばこの有効光機能領域を、すでに前記第１の１次光を透過する有効光機能領域とすることもできる。
【００４７】
さらに、少なくとも１つの回転位置において、前記１次光装置に割り当てられる１次光機能領域が、前記少なくとも１つの第１の光源から放射された１次光に対して透過性であり、前記１次光装置と前記有効光装置とに対して共用の光結合器が後置された実施形態もある。このような実施形態により、前記反射装置において反射させなくても、前記１次光を前記照明装置から有効光として出力結合させることができる。
【００４８】
さらに、前記両光源のうち少なくとも１つが、前記照明ホイールのいずれかの回転位置または角度位置に同調してタイミング制御されて動作するように構成された実施形態もある。このような実施形態により、（一方または双方の）光源の光を所期のように、前記照明ホイールの所望の領域または部分に限定することができる。このことにより、まず第一に、照射時間を所期のように調整することができ、ひいては、所定の機能領域の輝度を所期のように調整することができる。またこのようにして、たとえば、混合光の合成色座標を簡単に変化させることができる。このような構成によってさらに、（１つまたは複数の）光源の持続動作と比較して、より省電流であり、生成する熱がより少なく、より長寿命である照明装置を実現することができる。
【００４９】
以下、図面を参照して、本発明の詳細を実施例に基づいて概略的に説明する。全体を見やすくするため、同一または同機能の要素には同一の符号を付していることがある。
【図面の簡単な説明】
【００５０】
【図１】照明ホイールを有する第１の実施形態の照明装置の断面を示す側面図である。
【図２】第１の実施形態の照明装置の照明ホイールを上から見た図である。
【図３】第２の実施形態の照明装置の断面を示す側面図である。
【図４】第３の実施形態の照明装置の断面を示す側面図である。
【図５】第３の実施形態の照明装置の照明ホイールを上から見た図である。
【図６】第３の実施形態の照明装置の一部の断面を、計算された光路とともにより詳細に示す側面図である。
【図７】第４の実施形態の照明装置の断面を示す側面図である。
【図８】第５の実施形態の照明装置の断面を示す側面図である。
【図９】第６の実施形態の照明装置の断面を示す側面図である。
【図１０】第１〜６の実施形態のうちいずれかの実施形態の照明装置のための光学系の構成の断面を示す側面図である。
【図１１】第１〜６の実施形態のうちいずれかの実施形態の照明装置のための光学系の別の構成の断面を示す側面図である。
【図１２】第１〜６の実施形態のうちいずれかの実施形態の照明装置のための光学系のさらに別の構成の断面を示す側面図である。
【００５１】
図１は、第１の実施形態の照明装置１の断面を示す側面図である。この照明装置１は、レーザ２の形態の第１の光源を有し、これは、（第１の）１次光Ｐの形態で光を放射する。前記レーザ２はたとえば、前記１次光Ｐとして青色光を放射する「青色レーザ」とするか、または、前記１次光ＰとしてＵＶ光を放射する「ＵＶレーザ」とすることができる。
【００５２】
前記照明装置１はさらに、反射装置として、第１の焦点Ｆと第２の焦点Ｆ’とを有する、楕円状に形成された反射器３も有する。両焦点Ｆ，Ｆ’はここでは、前記反射器の自由な縁部４によって定義される光出射平面Ｅ上に、または当該光出射平面Ｅの近傍にある。前記反射器３は、円盤状の基本形を有する照明ホイール５をアーチ状に覆い、この照明ホイール５は、たとえば図中に無い駆動モータによって、回転軸Ｄを中心として回転可能である。さらに、前記反射器３は十分に大きな偏心率を有する。
【００５３】
図２に、前記照明ホイール５を上から見た様子を示す。前記照明ホイール５は円盤状の支持体６を有し、この支持体６は４つの弧形の機能領域７，８，９，１０を有する。すなわち、外側の第１の機能領域７と、これに対して相補的に繋がっている外側の第２の機能領域８と、内側の第３の機能領域９と、これに対して相補的に繋がっている内側の第４の機能領域１０とを有する。外側の２つの機能領域７，８は互いに合わさって、前記回転軸Ｄを中心とする同心の１つの外側のリングを形成し、内側の２つの機能領域９，１０は互いに合わさって、前記外側のリング７，８の直径より小さい直径を有する、前記回転軸Ｄを中心とする同心の１つの内側のリングを形成する。ここでは、前記外側のリング７，８と前記内側のリング９，１０とは相互に接しているが、これは単なる一例である。前記外側リング７，８および内側リング９，１０は、前記回転軸Ｄを中心として１８０°回転される基本形を有する。前記４つの機能領域７〜１０は、当該機能領域７〜１０に入射した光に対して所定の機能を有し、これらの機能領域７〜１０のうち１つまたは複数は、たとえば前記照明ホイール５の回転位置に依存して、および／または、光の態様（たとえば色）に依存して、複数の機能を果たすことができる。
【００５４】
前記回転軸Ｄはとりわけ、前記照明ホイール５の幾何学的および物理的な重心を通って延在することができる。
【００５５】
ここで図１を再び参照すると、レーザ２は反射器３の開口に１次光Ｐを通過させるように放射し、この１次光Ｐは、前記反射器３の方を向いた上面１１へ放射される。その際にはレーザ２は、前記回転軸Ｄを中心とする前記照明ホイール５の現在の実際の回転位置に依存して、外側の２つの機能領域７，８のうちいずれかに向けて放射することができる。したがって前記外側の２つの機能領域７，８は、前記１次光Ｐが第１の焦点Ｆの領域において作用する対象である１次光機能領域に相当する。前記レーザ２によって前記２つの外側の機能領域７，８のうちいずれかにおいて生成される焦点は、前記反射器３の第１の焦点Ｆに来るか、または第１の焦点Ｆの近傍に来ることとなる。
【００５６】
それと同時に、相補的に成形され回転軸Ｄを中心として１８０°回転される内側の機能領域９ないしは１０は、前記第２の焦点Ｆ’に存在するか、または当該第２の焦点Ｆ’の近傍に存在するので、前記機能領域７または８によって前記反射器３へ放射された光は、この反射器３から前記機能領域９ないしは１０へ反射される。よって、両機能領域９，１０は有効光機能領域に相当する。
【００５７】
オプションとして、内側リング９，１０に、前記第２の焦点Ｆ’の場所において当該内側リング９，１０を通過した光を受光して当該光に影響を及ぼす光学系１３が後置されており、前記第２の焦点Ｆ’の場所に設置される。この光学系１３はたとえば、光混合器、集光器、コリメータ、レンズ等を有するか、またはこれらの組み合わせを有することができる。
【００５８】
ここではオプションとして、前記光学系１３に絞り開口またはアパーチャ１５が後置されている。
【００５９】
ここでは前記１次光装置は、１次光機能領域として機能する外側の機能領域７または８のうち、現在、前記第１の焦点Ｆに存在するかまたは前記第１の焦点Ｆの近傍に存在するかないしは前記第１のレーザ２によって照射されている機能領域によって形成される。すなわちこの１次光装置には、回転位置に応じて、（１次光機能領域を成す）外側の機能領域７および８のうちいずれか一方が割り当てられる。
【００６０】
前記有効光装置も同様に、有効光機能領域として機能する内側の機能領域９または１０のうち、現在、前記第２の焦点Ｆに存在するかまたは前記第２の焦点Ｆの近傍に存在するかないしは前記反射器３によって主に照射されている機能領域によって形成される。すなわちこの有効光装置には、回転位置に応じて、（有効光機能領域を成す）内側の機能領域９および１０のうちいずれか一方が割り当てられる。
【００６１】
以下、外側の第１の機能領域７が、前記１次光Ｐを感知して波長変換する蛍光体を有する実施形態に基づいて、照明装置１の動作を詳細に説明する。前記蛍光体はたとえば、青色から緑色に変換するか、またはＵＶから緑色に変換するものである。外側の前記第１の機能領域７はたとえば、前記支持体６の上面１１上に形成される蛍光体層によって形成することができる。外側の前記第２の機能領域８は、前記１次光Ｐを反射するように構成されており、とりわけ拡散反射ないしは散乱するように構成されている。こうするためには、外側の前記第２の機能領域８をたとえば、前記支持体６の表面１１上に設けられた反射層とすることができる。
【００６２】
内側の前記第３の機能領域９は、前記１次光Ｐに対して非透過性であり（たとえばフィルタ作用または阻止作用を有する）、波長変換された光に対して透過性であるように構成されている。内側の前記第３の機能領域９はたとえば、前記支持体６の破損箇所を覆う光フィルタ（たとえばフィルタ膜）とすることができる。この光フィルタはたとえば、ダイクロイックミラーおよび／または吸収フィルタとすることができ、しかも、１つの部品に統合するか、または、複数の異なる部品を組み合わせたものとすることができる。
【００６３】
内側の第４の機能領域１０は少なくとも、前記１次光Ｐに対して透過性であるように構成されている。この内側の第４の機能領域１０はたとえば、前記支持体６の破損箇所を覆う透明膜とすることができる。
【００６４】
ここでは、前記照明ホイール５は基本的に２つの回転位置をとることができる。すなわち、外側の前記第１の機能領域７が前記焦点Ｆに来て、内側の前記第３の機能領域９が前記第２の焦点Ｆ’に来る第１の回転位置と、外側の前記第２の機能領域８が前記焦点Ｆに来て、内側の前記第４の機能領域１０が前記第２の焦点Ｆ’に来る第２の回転位置とをとることができる。
【００６５】
よって前記第１の回転位置では、外側の前記第１の機能領域７に、前記第１の焦点Ｆの領域において前記１次光Ｐが照射され、前記１次光Ｐの少なくとも一部は波長変換光に変換され、前記反射器３によって、内側の第３の機能領域９へ反射される。内側の第３の機能領域９では、前記光のうち波長変換された成分が有効光Ｎとして透過され、１次光成分はフィルタリング除去されるか阻止される。このようにして、内側の第３の機能領域９の下面１２において、ひいては照明ホイール５の下面１２において、実質的に、波長変換された有効光Ｎのみが出射して前記光学系１３を通って前記アパーチャ１５へ透過する。
【００６６】
第２の回転位置では、前記１次光Ｐは外側の前記第２の機能領域８において、前記反射器３によって内側の第４の機能領域１０へ反射され、この第４の機能領域１０を通過する。このようにして、１次光Ｐに相当する光は、光学系１３を通過した後に前記有効光Ｎとして前記アパーチャ１５に到達する。
【００６７】
したがって、前記照明ホイール５を回転させると、波長変換光の波長または波長領域の光と、１次光Ｐの波長または波長領域の光とを、交互に供給することができる。このような光のシーケンスは十分に高速に繋がると、人間の眼には、これら２つの波長の成分を含む混合光として知覚されることになる。各シーケンスの最大長は、機能領域７〜１０の長さによって予め決定される。１つの実施形態では、レーザが持続的に光を送出する（連続発振モード）だけでなく、クロックによって定められる短い複数の期間に光を送出するように、レーザ２をクロックにより動作させることができる。これにより、色空間において、前記２つの波長または色によって予め定まる曲線上に来るように、混合光の色座標を調整することができる。
【００６８】
２つより多くの波長または波長領域ないしは色から成る混合光を生成するためには、外側の前記第１の機能領域７が、前記１次光Ｐをそれぞれ異なる波長の光に変換する複数の異なる蛍光体を含むことができる（たとえば青色から緑色および／または黄色および／または赤色へ、または、ＵＶから青色、緑色、（黄色）および赤色へ）。これに代えて択一的に、同様の外側の第１の機能領域７を用いる代わりに、それぞれ蛍光体を有する複数の円弧状部分を使用することもできる。
【００６９】
図３は、第２の実施形態の照明装置２１の断面を示す側面図である。照明装置２１は前記照明装置１と同様に構成されているが、この照明装置２１では、前記第２の焦点Ｆ’の領域に設置された前記内側リング９，１０に光学系１４ａが前置されている点、および、前記第２の焦点Ｆ’の領域に設置された当該内側リング９，１０に光学系１４ｂが後置されている点とが異なる。前記２つの光学系１４ａ，１４ｂは、一例としてレンズとして形成されている。両光学系１４ａ，１４ｂは、前記第２の焦点Ｆ’に、または前記第２の焦点Ｆ’の近傍に現在来ている内側の機能領域９ないしは１０と合わさって、前記有効光装置を構成する。この有効光装置は光学系１３に前置されている。この照明装置２１では、内側の機能領域９および１０を特に有効に利用することができる。
【００７０】
図４は、第３の実施形態の照明装置３１の断面を示す側面図である。ここで使用される反射器３３の偏心率は、前記照明装置１の反射器３と異なって小さいので、反射器３３の焦点ＦおよびＦ’は相互に比較的近接している。このことにより、前記反射器３３は照明ホイール３５を完全に覆うことはできなくなり、照明ホイール３５一部のみを覆う。反射器３３は、（照明ホイール５の回転位置に依存して）機能領域３７〜４０の一部のみをアーチ状に覆うように構成されている。照明装置３１は特にコンパクトに構成することができる。
【００７１】
図５に示しているように、機能領域３７〜４０はここでも、照明ホイール３５の回転軸Ｄを中心として同心に配置されたリングの弧形部分として形成されている。しかし、図４に示されたレーザ２は、ここでは内側に設けられた第１の機能領域３７と、内側の第２の機能領域３８とによって形成される内側リング３７，３８に照射する。内側の第１の機能領域３７と内側の第２の機能領域３８の機能は、前記機能領域７ないしは８の機能に相当し、ここで外側に設けられた第３の機能領域３９と、同様に外側に設けられた第４の機能領域４０は、前記機能領域９ないしは１０に相当する。
【００７２】
前記照明ホイール５において外側と内側とで配置が入れ替わった他に、この構成では、各焦点ＦないしはＦ’に来る機能領域（の対）３７と３９、ないしは機能領域（の対）３８と４０とは、回転軸Ｄを中心として同じ扇形に配置されている。したがって、前記内側リング３７，３８と前記外側リング３９，４０とでは、形状および位置が同じであるが、大きさは同じではない。
【００７３】
上述の構成により、前記照明ホイール３５は基本的に２つの回転位置をとることができる。すなわち、内側の前記第１の機能領域３７が前記第１の焦点Ｆに来て、外側の前記第３の機能領域３９が前記第２の焦点Ｆ’に来る第１の回転位置と、内側の前記第２の機能領域３８が前記第１の焦点Ｆに来て、外側の前記第４の機能領域４０が前記第２の焦点Ｆ’に来る第２の回転位置とをとることができる。このような照明装置３１の動作は前記照明装置１の動作と同様であり、かつ、同様に発展させることもできる。
【００７４】
図６は、前記照明装置３１の一部の断面を、計算された光路とともにより詳細に示す側面図である。反射器３３は、１次光Ｐを入射させるための光入射開口４３を有する。前記反射器３３内において伝搬した光が光入射開口４３に戻って入射するのを防止するために、この光入射開口４３の片側に鏡面を設けることができる。１次光Ｐの方向は第１の焦点Ｆに向けられており、この第１の焦点Ｆに、（図６に示されていない）照明ホイール３５の内側リング３７，３８が位置する。この第１の焦点Ｆから、内側リング３７，３８からの拡散散乱によって生じる光路が出ており、この光路は実線で示されている。この光路は反射器３３によって第２の焦点Ｆ’へ反射され、この第２の焦点Ｆ’の領域において照明ホイール３５を（フィルタリングされるかフィルタリングされずに）通過する。この照明ホイール３５を通って出て行く有効光Ｎは、さらに光学系１３を通り、さらにアパーチャ１５を貫通していく。前記光学系１３はここでは両凸面レンズとして形成されている。
【００７５】
図７は、第４の実施形態の照明装置５１の断面を示す側面図である。この照明装置５１は前記照明装置３１と同様であるが、照明装置５１では、照明ホイール５５の支持体５６の、外側リング３９，４０を支持する縁部領域が下げられている点が異なる。さらに、外側リング３９，４０に前置された定置の光学系５７が第２の焦点Ｆ’の領域に設けられており、しかも、反射器３３の外側に設置されている。したがって、第２の焦点Ｆ’に、または、当該第２の焦点Ｆ’から下方に若干離れた場所には、外側リング３９，４０が来ることはなく、前置された光学系５７の光入射面５８が来るようになっている。この光学系５７は、入射した光を、下げられた前記外側リング３９，４０に向けるものである。
【００７６】
よって、前記有効光装置は少なくとも、前置された光学系５７と、内側リング３９，４０ないしはその機能領域３９，４０とを有することができ、前記支持体５６は少なくとも、この有効光装置３９，４０，５７において下げられている。
【００７７】
断面が段状に下げられている支持体５６を用いる代わりに、共通の回転軸Ｄ上において長手方向に相互に離隔された、２つの相互に平行に配置された照明ホイールを用いることもできる。その際にはとりわけ、反射器３３の近傍に設けられた照明ホイールの直径の方が小さく、この照明ホイールが内側リング３７，３８を支持する。反射器３３からより遠くに配置されている他方の照明ホイールの直径の方が大きく、この他方の照明ホイールが外側リング３９，４０を支持する。これら複数の照明ホイールは同じ駆動軸に固定することができるので、ここでも、相互間の同期は不要となる。
【００７８】
図８は、第５の実施形態の照明装置６１の断面を示す側面図である。照明装置６１は前記照明装置３１と同様に構成されている。この照明装置６１はさらに、第２の１次光Ｐ２を放射する第２の光源も有する。この第２の光源は、第２のレーザ６２として構成されている。第２の１次光Ｐ２の色（（１つまたは複数の）ピーク波長および／または（１つまたは複数の）帯域幅）は、レーザ２から放射される（第１の）１次光Ｐの色と異なっており、かつ、前記第１の機能領域３７によって波長変化された光の色とも異なる。前記第２のレーザ６２は照明ホイール６５の下面１２に、しかも、第２の１次光Ｐ２を透過させる別の１次光機能領域６９に照射する。この別の１次光機能領域６９は、別の回転位置になると、前記焦点Ｆに、または前記焦点Ｆの近傍に来るようになっている。このことにより、第２の１次光Ｐ２は下から、前記別の１次光機能領域６９を通過するように照射され、前記反射器３３の方を向いた側において、前記第１の焦点Ｆに、または第１の焦点Ｆの近傍に焦点を生成する。このようにして、前記第２の１次光Ｐ２は前記第１の焦点Ｆにおいて前記反射器３３に入射する。前記別の１次光機能領域６９はとりわけ散乱機能を有することができ、これにより、前記反射器３３の方を向いた側にて出射する第２の１次光Ｐ２は拡開される。
【００７９】
前記別の回転位置では、前記第２の焦点Ｆ’にはとりわけ、前記第２の１次光Ｐ２の波長または波長帯に対して透過性である有効光機能領域が来ることができる。これはたとえば、第１の１次光Ｐの波長または波長帯に対しても透過性である外側の第４の機能領域４０とすることができる。それに代えて択一的に、専用の有効光機能領域を設けることもできる。
【００８０】
前記別の１次光機能領域６９はとりわけ、前記第１の１次光Ｐに対して鏡面反射するように構成された内側の前記第２の機能領域３８に相当することができる。この場合には、第１のレーザ２と第２のレーザ６２とを、同一の１次光機能領域３８，６９において同時に動作させることができる。この場合、内側の第２の機能領域３８をとりわけダイクロイックミラーによって構成することができる。その際には、これに対応する外側の第４の機能領域４０において、第１の１次光Ｐと第２の１次光Ｐ２とから形成される混合光の少なくとも一部が前記有効光Ｎとして出射することができる。この混合光の色座標を調整するためには、第１のレーザ２と第２のレーザ６２との双方が、クロックまたは制御により作動／非作動化可能またはオンオフ可能であるように動作させることができる。
【００８１】
その代わりに択一的に、前記別の１次光機能領域６９は、内側にある前記別の（１次光）機能領域３７，３８と異なる、内側にある別の１次光機能領域に相当することができる。このような内側の別の１次光機能領域６９は、第１の１次光Ｐに対しても第２の１次光Ｐ２に対しても透光性とすることができ、たとえば透明または半透明とすることができ、とりわけ散乱作用を有するように構成することができる。このような構成は特に低コストである。この場合に有利なのは、前記別の１次光機能領域６９が前記第１の焦点Ｆに存在するときは、前記第１のレーザ２が第１の１次光Ｐを放出しないことである。その際に一般的に有利なのは、両レーザ２および６２が交互にのみ作動されるかまたはスイッチオンされるように構成することである（逆位相で動作）。内側の第１の機能領域３７および内側の第２の機能領域３８は、第２の１次光Ｐ２をとりわけ阻止する機能を有することができる。
【００８２】
第２のレーザ６２を使用することの利点は、蛍光体と１つの１次光源とのみを用いただけでは、たとえば蛍光体の欠如または低効率に起因して生成するのが困難であるかまたは全く生成できない色成分を、混合光に簡単に混合できることである。
【００８３】
また上述のことにより、蛍光体におけるストークス損失に起因する照明ホイール６５の加熱、波長変換された光のピーク波長の、熱によるシフト、および、蛍光体の熱クエンチングを抑圧することもできる。このことはとりわけ、第２の１次光Ｐ２のピーク波長が第１の１次光Ｐのピーク波長から大きく離れている場合に有利である。たとえば、前記第１の１次光ＰをＵＶ光または青色光とし、前記第２の１次光Ｐ２を赤色光とすることが可能であり、または、前記第２の１次光Ｐ２を赤外光（ＩＲ光）とすることさえも可能である。
【００８４】
前記照明ホイール６５の、前記反射器３３と反対側に下から照射する他に択一的に、第２のレーザ６２を上から照明ホイール６５の上面１１の方向に向けて照射することも可能である。こうするためには、前記第２のレーザ６２の第２の１次光Ｐ２を前記第１の１次光Ｐと別個に導光するか、または前記第１の１次光Ｐとまとめて導光することが可能である。このように導光するためにはたとえば、前記反射器３３より上流に配置されたビーム結合器を使用し、その後に、同一の光入射開口４３を使用する。
【００８５】
複数の（すなわち２つより多くの）光源とりわけレーザを使用する場合には、これらのレーザの色は限定されない。たとえば、前記第１のレーザ２は、約４４５ｎｍのピーク波長を有する光を放射するレーザとすることができる。このようなレーザに対して高い変換効率を有する蛍光体が存在する。第２のレーザ６２は、赤色光を放射するレーザとすることができる。とりわけ、前記照明ホイール６５にたとえば下から照射する少なくとも１つの別のレーザをさらに設けることも可能である。この別のレーザはたとえば、４６０ｎｍ〜４７０ｎｍの間の領域にあるピーク波長を有する青色光を放射できるレーザである。このようなレーザを設けることにより、人間の知覚に特に快適な混合光を生成することができる。
【００８６】
一般的に、異なる色の色も放射できる、複数の第１のレーザ２（一般的には光源）を使用することができる。
【００８７】
図９は、第６の実施形態の照明装置７１の断面を示す側面図である。この照明装置７１は前記照明装置３１と同様に構成されているが、照明装置７１では、内側の第２の機能領域３８が１次光Ｐに対して透過性である点と、オプションとして、外側の第４の機能領域４０を省略できる点が異なる。
【００８８】
したがって第２の回転位置では、前記レーザ２から入射した１次光Ｐはそのまま直接、内側にある前記第２の機能領域３８に通されて外部へ出射され、ここでは、オプションとして設置される後置された光学系７２に当たる。したがって、第１の回転位置と第２の回転位置とでは、前記有効光Ｎが反射器３３から出力結合されるときの場所は異なり、しかも、焦点Ｆ’ないしは焦点Ｆにおいて（別個の有効光通路）、しかも第１の回転位置と第２の回転位置とで出力結合されるときの色は異なる。この照明装置７１によって（シーケンシャルな）混合光を生成するためには、前記焦点Ｆ’に対して設けられた光学系１３と、前記焦点Ｆに対して設けられた光学系７２とに、共用の光結合器７３が後置される。この光結合器７３は、両光学系１３および７２から出射した有効光ビームを統合してアパーチャ１５へ導くものである。この光結合器７３はたとえば、１つまたは複数のダイクロイックミラーによって構成することができる。というのも、前記２つの別個の有効光チャネルの光の色は相違するからである。
【００８９】
図１０は、とりわけ前記照明装置１，２１，３１，５１，６１または７１のうちいずれかの照明装置のための、光学系１３および／または５７および／または７２の可能な実施形態の断面を示す側面図である。
【００９０】
前記光学系１３および／または５７および／または７２はたとえば、入射した有効光Ｎに影響するために、とりわけ有効光Ｎを成形および／または均質化するために、まずは光トンネル８１を有することができ、この光トンネル８１に結像光学系８２が後置されている。光トンネル８１はとりわけ、入射した有効光の均質化と平行化とを行うのに用いることができ、たとえば、円筒形の光ミキサロッド、導光体または中空チャネル等の形態で光チャネル８１を設けることができる。結像光学系８２はたとえば、１つまたは複数のレンズを含むことができる。光学系１３および／または５７および／または７２は、光トンネル８１のみを、または結像光学系８２のみを有することも可能である。
【００９１】
図中の光学系１３および／または５７および／または７２の実施形態によって簡単かつコンパクトに、アパーチャ１５の所定の大きさに、および／または、所定の受光角領域に合わせて、有効光ビームを調整することができる。
【００９２】
図１１は、光学系１３および／または５７および／または７２の別の可能な実施形態の断面を示す側面図である。ここでは円筒形の光トンネル８１を使用する代わりに、光入射面８４が光出射面８５よりも小さい光トンネル８３を使用する。光トンネル８３はたとえば、光伝搬方向に円錐台状に広がっていく光ミキサロッド、導光体または中空チャネルの形態とすることができる。
【００９３】
図１２は、光学系１３および／または５７および／または７２のさらに別の可能な実施形態の断面を示す側面図である。ここでは、円筒形の光トンネル８６に複数のレンズ８７，８８が光の順序で前置されており、これにより、光トンネル８６を比較的広幅にすることができる。
【００９４】
もちろん、本発明は図中の実施例に限定されない。
【００９５】
上述のようにして、内側リングまたは外側リングに対する、および／または、焦点ＦまたはＦ’に対する、機能領域の対応関係を入れ替えることもできる。
【００９６】
また、レーザを用いる代わりに別の光源を用いることも可能であり、場合によっては、適切な光学系を併用することができる。たとえば発光ダイオード等を用いることが可能である。
【００９７】
さらに、機能領域の数、配置および／または機能は限定されることはなく、たとえば、リングを１つのみ有する照明ホイール、または、３つ以上のリングを有する照明ホイールを使用することができ、これに代えて択一的に、直径等がそれぞれ異なる複数の照明ホイールを用いることもできる。
【００９８】
一般的に、異なる実施形態の各特徴を択一的に、または組み合わせて用いることができる。
【００９９】
とりわけ、反射器の偏心率を増減して、照明装置に反射器を備えつけることができ、たとえば、第４の実施形態の照明装置の、一部が下げられた支持体を有する照明ホイールを、たとえば第１または第２の実施形態の照明装置の、偏心率が高い反射器を有する照明装置にて使用することができる。
【０１００】
また、それぞれ異なる色の２つより多くの光源を用いることもでき、たとえば、光の少なくとも一部が波長変換される、異なる色の２つ以上の光源、および／または、光が波長変換されない、異なる色の２つ以上の光源を用いることができる。
【０１０１】
一般的には、光源の波長または色、および、波長変換後の光の波長または色は限定されない（紫外光および赤外光を含めて）。とりわけ、ＵＶ光、可視光およびＩＲ光を含めた、とりわけ１０ｎｍ〜１ｍｍの間のスペクトル領域にある電磁波を、光と称することができる。別の全般的な実施形態として、第１の光源が、約４４５ｎｍのピーク波長を有する青色光を放射する実施形態がある。というのも、このような青色光により、高い波長変換効率を実現できるからである。光がとりわけ波長変換されない第２の光源は、ピーク波長が約４６０〜４７０ｎｍである青色光を放射することができる。このような青色光により、純度の高い青色として知覚される色放射を実現することができる。追加的に、とりわけ赤色放射光源を用いることもできる。
【０１０２】
上述のようにしてたとえば、照明装置から、青色（４４５ｎｍ）／緑色変換された光、および／または、青色（４４５ｎｍ）／赤色変換された光と、青色（４６０ｎｍ〜４７０ｎｍ）の１次光および／または赤色の１次光との双方を放射することができ、または、これらを組み合わせたものを放射することができる。
【０１０３】
たとえば、前記反射器は金属から成るか、または、反射性コーティングされたガラスから成ることができる。この反射器は、一体で形成するか、または複数の部品から構成することができる。この反射器は、１次光Ｐに対しては透過性であり有効光および第２の１次光Ｐ２に対しては（第２の光源が設けられている場合）鏡面反射作用を有するダイクロイックコーティングを、とりわけ内側に有することができる。
【符号の説明】
【０１０４】
１      照明装置
２      第１のレーザ
３      反射器
４      自由縁部
５      照明ホイール
６      支持体
７      第１の機能領域
８      第２の機能領域
９      第３の機能領域
１０    第４の機能領域
１１    上面
１２    下面
１３    光学系
１４ａ  前置された光学系
１４ｂ  後置された光学系
１５    アパーチャ
２１    照明装置
３１    照明装置
３３    反射器
３５    照明ホイール
３７    第１の機能領域
３８    第２の機能領域
３９    第３の機能領域
４０    第４の機能領域
４３    光入射開口
５１    照明装置
５５    照明ホイール
５６    支持体
５７    光学系
６１    照明装置
６２    第２のレーザ
６５    照明ホイール
６９    別の機能領域
７１    照明装置
７２    光学系
７３    光結合器
８１    光トンネル
８２    結像光学系
８３    光トンネル
８４    光入射面
８５    光出射面
８６    光トンネル
８７    レンズ
８８    レンズ
Ｄ      回転軸
Ｅ      光出射平面
Ｆ      第１の焦点
Ｆ’    第２の焦点
Ｎ      有効光
Ｐ      （第１の）１次光
Ｐ２    第２の１次光
【図１】
0005642300.tif 000002
【図２】
0005642300.tif 000003
【図３】
0005642300.tif 000004
【図４】
0005642300.tif 000005
【図５】
0005642300.tif 000006
【図６】
0005642300.tif 000007
【図７】
0005642300.tif 000008
【図８】
0005642300.tif 000009
【図９】
0005642300.tif 000010
【図１０】
0005642300.tif 000011
【図１１】
0005642300.tif 000012
【図１２】
0005642300.tif 000013